(57)【要約】      （修正有）【課題】従来の衛生手袋用の収納箱において手袋の取出口が一つしかなく選択肢がなかったため、手袋の使用の用途において取り出し口の使い分けができない点を解消する。【解決手段】複数枚の手袋１０を収納する本発明の衛生手袋パッケージ１は、収納箱本体２と、この収納箱本体２の一面の一方端部と他方端部に広開口部２Ａと狭開口部２Ｂとを形成し、一方、複数枚の手袋１０を同一方向で積層したうえで指先部を手を挿入する挿入部１０ｂへと折り返して、該折り返し部位の谷部にセパレータを挿入し、指先部が広開口部２Ａと狭開口部２Ｂを形成した一面と対向する面側に位置させると共に、挿入部１０ｂが狭開口部２Ｂに、折り返し部位の山部が広開口部２Ａに各々位置させて収納箱本体２に挿入している。【選択図】図４
2017061327.tif 000002
【特許請求の範囲】
【請求項１】
複数枚の手袋を収納する衛生手袋パッケージであって、収納箱本体と、この収納箱本体の一面の一方端部と他方端部に広開口部と狭開口部とを形成し、一方、複数枚の手袋を同一方向で積層したうえで指先部を手を挿入する挿入部へと折り返して、該折り返し部位の谷部にセパレータを挿入し、指先部が広開口部と狭開口部を形成した一面と対向する面側に位置させると共に、挿入部が狭開口部に、前記折り返し部位の山部が広開口部に各々位置させて前記収納箱本体に挿入したことを特徴とする衛生手袋パッケージ。
【請求項２】
広開口部の幅は手袋の親指から小指まで幅寸法と同一とされ、かつ狭開口部の幅は挿入部を閉塞した状態の幅寸法と同一とされていることを特徴とする請求項１記載の衛生手袋パッケージ。
【請求項３】
広開口部と狭開口部の一方又は両方において、開口を形成する四辺のうち三辺はミシン目が形成されて収納箱本体と切離可能に接続され、残りの一辺は収納箱本体に折曲可能に接続されていることを特徴とする請求項１又は２記載の衛生手袋パッケージ。
【発明の詳細な説明】
【技術分野】
【０００１】
本発明は、手袋の取り出し口を用途に応じて使い分けができ、取り出し易く、使い勝手が向上する衛生手袋パッケージに関する。
【背景技術】
【０００２】
業務用の主に使い捨てられる樹脂又はゴム製の手袋は、複数枚が積層されてパッケージされているが、これら手袋の用途、すなわち食品、医療、薬品などといった分野で用いられることが多いため、製造からパッケージされるまで、また、収納箱から手袋を取り出して使用するまで、手袋が外部と接触する点で細心の注意が払われる。
【０００３】
手袋の製造から収納箱に収納されるまでにおいては、厳密に衛生や塵埃が管理されたいわゆるクリーンルームにて行われるから、この段階での外部接触の問題は生じにくいが、使用者に渡った収納箱を開封して使用が開始された後では、衛生管理する手立てがない。
【０００４】
そこで、従来、使う手袋だけを１枚ずつ取り出し、また、取り出しやすく、かつ出来るだけ使用前の手袋が外部と接触することがないように工夫した収納箱が提案されている。例えば、特許文献１には、取り出しを用意とするために、同一の箱に左右同数だけ手袋を収納し、側面に２つの取出口を設けて左右別々に手袋を取り出す構成が示されている。
【０００５】
また、特許文献２には、積層した複数の手袋を容器に挿入しやすく、かつ１枚ずつ簡単に取りだすことができるよう、手袋の指部と掌部をそれぞれ同方向に揃えて重ね合わせ、掌部の略下面に指部が位置するように芯板を中心として折り畳んで折畳積層体を構成し、取出口を有する容器内に該折畳積層体を収納する構成が示されている。
【０００６】
さらに、特許文献３には、手袋取り出し時や取り出し後も含めて外部から埃等の侵入を防止し、取り出し時の手袋の破損を防止するために、積層した手袋を、上板に手袋を引き出すための開口部が設けられた箱と、箱にヒンジ部を介して回動可能に支持され、上板の上に重なった閉姿勢において開口部を覆う板状の蓋体とを備える構成が示されている。
【０００７】
しかしながら、特許文献１〜３に示される手袋用の収納箱は、手袋における一部位から取り出すようにしかなっていなかった。すなわち、特許文献１は、左右で２箇所取出口が存在するものの手袋における手の挿入部から取り出す口しか設けられていない。また、特許文献２は、手袋における甲部から取り出す口しか設けられていない。さらに、特許文献３は、手袋における甲面から取り出す口しか設けられていない。
【０００８】
したがって、従来の手袋用の収納箱は、手袋における手の挿入部から取り出すとか、手袋における甲部（甲面）から取り出すといった選択肢がなく、手袋の使用の用途において使い分けができなかった。また、従来の手袋用の収納箱は前記のとおり取り出し口のが一つしかなく、選択肢がないため、製造メーカーでは用途に応じた（取り出し口を設けた）収納箱を用意する必要があり、手間であった。
【先行技術文献】
【特許文献】
【０００９】
【特許文献１】実開昭６１−７７３８１号公報
【特許文献２】実用新案登録第３０９８８１５号公報
【特許文献３】特開２０１１−１６２２５７号公報
【発明の概要】
【発明が解決しようとする課題】
【００１０】
解決しようとする問題は、従来の手袋用の収納箱では、手袋の取り出し部位に応じた取出口の選択肢がなく、用途において使い分けができないという点である。
【課題を解決するための手段】
【００１１】
上記問題を解決するために、本発明は、複数枚の手袋を収納する衛生手袋パッケージであって、収納箱本体と、この収納箱本体の一面の一方端部と他方端部に広開口部と狭開口部とを形成し、一方、複数枚の手袋を同一方向で積層したうえで指先部を手を挿入する挿入部へと折り返して、該折り返し部位の谷部にセパレータを挿入し、指先部が広開口部と狭開口部を形成した一面と対向する面側に位置させると共に、挿入部が狭開口部に、前記折り返し部位の山部が広開口部に各々位置させて前記収納箱本体に挿入したことを主要な特徴とする。
【発明の効果】
【００１２】
本発明の衛生手袋パッケージは、手袋の取り出し部位に応じた広開口部と狭開口部とを設けているので、手袋の使用の用途において使い分けができると共に製造メーカー側における収納箱本体のコストメリットが生じ、さらに、複数を積層した手袋の折り返し部位における谷部にセパレータを挿入しているので、該手袋が収納箱本体内で位置や収納姿が崩れることが防止され、取り出し易いという利点がある。
【図面の簡単な説明】
【００１３】
【図１】本発明の衛生手袋パッケージの外観を示す斜視図である。
【図２】本発明の衛生手袋パッケージにおける複数の手袋の収納状態を示し、（ａ）は分解斜視図、（ｂ）は側面図、である。
【図３】本発明の衛生手袋パッケージにおける広開口部と狭開口部の幅寸法を説明するための図である。
【図４】本発明の衛生手袋パッケージの使用状況を示し、（ａ）は広開口部から取り出した状況、（ｂ）は狭開口部から取り出した状況、の斜視図である。
【図５】本発明の衛生手袋パッケージの他の実施例構成を示す斜視図である。
【発明を実施するための形態】
【００１４】
本発明は、手袋の取り出し部位に応じた取出口の選択肢がなく、用途において使い分けができなかった点を、収納箱本体の一面の一方端部と他方端部に広開口部と狭開口部とを形成し、一方、複数枚の手袋を同一方向で積層したうえで指先部を手を挿入する挿入部へと折り返し、該折り返し部位の谷部にセパレータを挿入し、指先部が広開口部と狭開口部を形成した一面と対向する面側に位置させると共に、挿入部が狭開口部に、折り返し部位の山部が広開口部に各々位置させて収納箱本体に挿入することで解決した。
【００１５】
また、本発明は、上記構成において、広開口部の幅は手袋の親指から小指まで幅寸法と同一とされ、かつ狭開口部の幅は挿入部を閉塞した状態の幅寸法と同一とされることで、手袋寸法（大きさ）に応じた、手袋の取り出しに適した広開口部と狭開口部を構成することができ、取り出しがさらに容易となる。
【００１６】
さらに、本発明は、上記構成において、広開口部と狭開口部の一方又は両方において、開口を形成する四辺のうち三辺はミシン目が形成されて収納箱本体と切離可能に接続され、残りの一辺は収納箱本体に折曲可能に接続される構成とすることで、広開口部と狭開口部のうち用途上、使用しない側を閉じたままとすることができ、また、両者を開いても使用しない側（使用する側も）手袋の取り出し後に閉じておくことができるので、衛生的である。
【実施例】
【００１７】
以下、図１〜図５を参照して本発明の衛生手袋パッケージの実施例について説明する。衛生手袋パッケージ１（以下、パッケージ１と記す）は、衛生上、使用後に使い捨てされる用途の複数枚の手袋１０を収納箱本体２に収納したものである。なお、図示する手袋１０については理解を容易にするためにハッチングを付している。
【００１８】
手袋１０は、複数枚の手袋を同一方向で積層したうえで指先部１０ａを手を挿入する挿入部１０ｂへと折り返して、該折り返し部位の谷部に、複数の手袋１０の折り曲げと収納箱本体２内における位置決めと折り返し部との分離を容易とするセパレータＳを挿入して後述するように収納箱本体２へ挿入される。なお、この状態の手袋１０を以下、積層手袋１０’とする。
【００１９】
収納箱本体２は、例えば本例では直方体状とされ、手袋１０が該収納箱本体２から全て取り出された後には、容易に廃棄できるように紙製とされている。また、収納箱本体２は、六面のうちの一面において、一方端部と他方端部に広開口部２Ａと狭開口部２Ｂとが形成されている。なお、収納箱本体２は、立方体状としてもよく、また、直方体状又は立方体状の場合は角を曲面とした形状などでもよく、特に限定しない。
【００２０】
広開口部２Ａと狭開口部２Ｂの手袋１０を取り出すための開口は、本例の場合、収納箱本体２の面おいて開口を形成する四辺のうち三辺にミシン目Ｍが形成されてこの三辺については該収納箱本体２と切離可能に接続とされ、残りの一辺は収納箱本体に折曲可能に接続されたそれぞれの蓋部２ａ，２ｂを開けることで形成される。
【００２１】
この広開口部２Ａと狭開口部２Ｂは、本例の場合、図３に示すように、広開口部２Ａの幅Ａは手袋１０の親指から小指まで幅Ｃと同一寸法とされ、かつ狭開口部２Ｂの幅Ｂは挿入部１０ｂを閉塞した状態の幅Ｄと同一寸法とされている。
【００２２】
積層手袋１０’は、図２に示すように、指先部１０ａが広開口部２Ａと狭開口部２Ｂが形成された一面と対向する面側に位置させると共に、挿入部１０ｂが狭開口部２Ｂに、積層手袋１０’の折り返し部位の山部を広開口部２Ａに位置させて、収納箱本体２に挿入している。
【００２３】
図３に示すように、手袋１０が取り出しの際に摘ままれる箇所は、広開口部２Ａの場合は手袋１０の甲部１０ｃ（破線で囲った部分）、狭開口部２Ｂの場合は手袋１０の挿入部１０ｂ（破線で囲った部分）、となる。
【００２４】
上記構成のパッケージ１は、図４に示すように、用途に応じて、広開口部２Ａと狭開口部２Ｂとで取り出しを切り替える。例えば衛生面で管理がそれほど厳しくなく手の保護が可能でかつ素早く取り出す目的の場合は、図４（ａ）に示すように、引出量が少なく手袋１０の甲部１０ｃから取り出す広開口部２Ａから取り出せばよい。
【００２５】
一方、例えば厳しく衛生管理された用途で使用する目的の場合は、図４（ｂ）に示すように、引出量が多いが、手袋１０の挿入部１０ｂから取り出す狭開口部２Ｂから取り出せばよい。また、手袋１０を取り出さない広開口部２Ａ、狭開口部２Ｂについては、蓋部２ａ、蓋部２ｂを閉めておけばよい。
【００２６】
以上のように、本発明のパッケージ１は、用途に応じて手袋１０の取り出し口となる広開口部２Ａと狭開口部２Ｂとで使い分けることができるので、使い勝手が向上する。なお、本発明は上記構成に限らず、変形が可能であり、例えば、図５に示すように、収納箱本体２の広開口部２Ａと狭開口部２Ｂが形成された面の隣接する直交面のうちの１面に、吊下部２Ｃを設けることで、パッケージ１を壁面に吊り下げて使用することも可能である。
【００２７】
また、セパレータＳは、複数の手袋１０の折り曲げと収納箱本体２内における位置決めと折り返し部との分離を容易とする目的で設けているが、これに加えて、手袋１０の検品を行ったとのとの認証や印を記しておくようにしてもよい。
【符号の説明】
【００２８】
１  （衛生手袋）パッケージ
２  収納箱本体
２Ａ  広開口部
２Ｂ  狭開口部
２Ｃ  吊下部
２ａ  蓋部
２ｂ  蓋部
１０  手袋
１０’  積層手袋
１０ａ  指先部
１０ｂ  挿入部
１０ｃ  甲部
Ｓ  セパレータ
Ｍ  ミシン目
【図１】
2017061327.tif 000003
【図２】
2017061327.tif 000004
【図３】
2017061327.tif 000005
【図４】
2017061327.tif 000006
【図５】
2017061327.tif 000007